(57)【要約】【課題】本発明は、移動体通信機器に用いられる通信用デバイスのエラーを適切な手順で検出することを目的とする。【解決手段】上記目的を達成するために、本願発明の移動体通信用デバイス試験システム及び移動体通信用デバイス試験方法は、基地局との間でＲＦ信号を送受する移動体通信機器に用いられかつＲＦ信号を復調してベースバンド信号を生成する通信用デバイス９２の試験を行う移動体通信用デバイス試験方法であって、通信用デバイス９２からのベースバンド信号を含むフレームについて、ＲＤＳ（Ｒｕｎｎｉｎｇ  Ｄｉｇｉｔａｌ  Ｓｕｍ）エラー、１０ｂｉｔエラー、フレームカウントエラー、フレーム長エラー、ＣＲＣエラーの順にエラーを検出することを特徴とする。【選択図】図５
2011041107.tif 000002
【特許請求の範囲】
【請求項１】
基地局との間でＲＦ（Ｒａｄｉｏ  Ｆｒｅｑｕｅｎｃｙ）信号を送受する移動体通信機器に用いられかつＲＦ信号を復調してベースバンド信号を生成する通信用デバイス（９２）の試験を行う移動体通信用デバイス試験システム（９１）であって、
前記通信用デバイスからの前記ベースバンド信号を含むフレームが入力されるデータ入力部（７６−９）と、
前記ＲＤＳエラー検出部の前段若しくは後段又は前記ＲＤＳエラー検出部と並列に接続され、前記データ入力部からの前記フレームを構成する符号「０」と符号「１」の個数差が予め定められた値よりも多いか否かを判定するＲＤＳ（Ｒｕｎｎｉｎｇ  Ｄｉｇｉｔａｌ  Ｓｕｍ）エラー検出部（３１）と、
前記データ入力部の出力する前記フレームに含まれる１０ｂｉｔコードが予め定められた８Ｂ１０Ｂデコードテーブルに格納されているか否かを判定する１０ｂｉｔエラー検出部（３２）と、
前記ＲＤＳエラー検出部及び前記１０ｂｉｔエラー検出部の後段に接続され、前記データ入力部の出力する前記フレームに含まれるヘッダを抽出し、抽出したヘッダに含まれるフレームカウントが予め定められた規則に従った値であるか否かを判定するフレームカウントエラー検出部（３３）と、
前記フレームカウントエラー検出部の後段に接続され、前記データ入力部の出力する前記フレームにＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）が含まれるか否か、及び、ＥＯＴ若しくはＥＯＦが予め定められた位置に付加されているか否かを判定するフレーム長エラー検出部（３４）と、
前記フレーム長エラー検出部の後段に接続され、前記データ入力部の出力する前記フレームに含まれるヘッダ及びペイロードを用いてＣＲＣ（Ｃｙｃｌｉｃ  Ｒｅｄｕｎｄａｎｃｙ  Ｃｈｅｃｋ）を算出するとともに、前記データ入力部の出力する前記フレームに含まれるＣＲＣを抽出し、算出したＣＲＣと抽出したＣＲＣが一致するか否かを判定するＣＲＣエラー検出部（３５）と、
を備えることを特徴とする移動体通信用デバイス試験システム。
【請求項２】
基地局との間でＲＦ（Ｒａｄｉｏ  Ｆｒｅｑｕｅｎｃｙ）信号を送受する移動体通信機器に用いられかつＲＦ信号を復調してベースバンド信号を生成する通信用デバイス（９２）の試験を行う移動体通信用デバイス試験方法であって、
前記通信用デバイスからの前記ベースバンド信号を含むフレームを構成する符号「０」と符号「１」の個数差が予め定められた値よりも多いか否かを判定するＲＤＳ（Ｒｕｎｎｉｎｇ  Ｄｉｇｉｔａｌ  Ｓｕｍ）エラー検出手順（Ｓ１３１）と、
前記ＲＤＳエラー検出手順の前若しくは後又は前記ＲＤＳエラー検出手順と同時に、前記フレームに含まれる１０ｂｉｔコードが予め定められた８Ｂ１０Ｂデコードテーブルに格納されているか否かを判定する１０ｂｉｔエラー検出手順（Ｓ１３２）と、
前記ＲＤＳエラー検出手順及び前記１０ｂｉｔエラー検出手順の後に、前記フレームに含まれるヘッダを抽出し、抽出したヘッダに含まれるフレームカウントが予め定められた規則に従った値であるか否かを判定するフレームカウントエラー検出手順（Ｓ１３３）と、
前記フレームカウントエラー検出手順の後に、前記フレームにＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）が含まれるか否か、及び、ＥＯＴ若しくはＥＯＦが予め定められた位置に付加されているか否かを判定するフレーム長エラー検出手順（Ｓ１３４）と、
前記フレーム長エラー検出手順の後に、前記フレームに含まれるヘッダ及びペイロードを用いてＣＲＣ（Ｃｙｃｌｉｃ  Ｒｅｄｕｎｄａｎｃｙ  Ｃｈｅｃｋ）を算出するとともに、前記フレームに含まれるＣＲＣを抽出し、算出したＣＲＣと抽出したＣＲＣが一致するか否かを判定するＣＲＣエラー検出手順（Ｓ１３５）と、
を有することを特徴とする移動体通信用デバイス試験方法。
【発明の詳細な説明】
【技術分野】
【０００１】
本発明は、移動体通信用デバイス試験システム及び試験方法に関し、特に、基地局との間でＲＦ（Ｒａｄｉｏ  Ｆｒｅｑｕｅｎｃｙ）信号を送受する移動体通信機器に用いられかつＲＦ信号を復調してベースバンド信号を生成するＲＦＩＣ（Ｒａｄｉｏ  Ｆｒｅｑｕｅｎｃｙ  Ｉｎｔｅｇｒａｔｅｄ  Ｃｉｒｃｕｉｔ）の試験を行うための移動体通信用デバイス試験システム及びその試験方法に関する。
【背景技術】
【０００２】
移動体通信機器に用いられる通信用デバイスを試験するために、移動体端末用デバイス試験システムが提案されている（例えば、特許文献１参照。）。従来は、エラーが付加された信号を、通信用デバイスに送信し、それに対する通信用デバイスの動作を確認することにより、通信用デバイスを評価していた。
【０００３】
ここで、移動体通信機器に用いられる通信用デバイスとして、ＲＦＩＣが考えられる。ＲＦＩＣは、ＢＢＩＣ（Ｂａｓｅｂａｎｄ  Ｉｎｔｅｇｒａｔｅｄ  Ｃｉｒｃｕｉｔ）から受信したベースバンド信号を受けて、このベースバンド信号により搬送波を変調し、基地局と通信するためのＲＦ信号として送出するとともに、基地局からのＲＦ信号を受けて、ベースバンド信号を復調してＢＢＩＣに送出する機能を有する。ＲＦＩＣは、また、ＢＢＩＣは、送信すべきデータをベースバンド信号としてＲＦＩＣに送出し、ＲＦＩＣから受けたベースバンド信号を受信データとして処理する機能を有する。ここで、ＢＢＩＣとＲＦＩＣとの間の通信は、所定のインタフェースにより、デジタル信号でベースバンド信号や制御信号をやりとりするようになっている。
【先行技術文献】
【特許文献】
【０００４】
【特許文献１】特開２００８−１７１３１号公報
【発明の概要】
【発明が解決しようとする課題】
【０００５】
ＢＢＩＣとＲＦＩＣとの間のインタフェースにおけるエラーは複数存在する。そして、これらの複数のエラーは互いに影響しあう可能性がある。このため、ＲＦＩＣの評価を行う際には、適切な手順でエラーを検出していく必要がある。もし、不適切な手順でエラーを検出すると、適切な評価が行えない可能性がある。例えば、あるエラーＡが発生すると、自動的に別のエラーＢが発生する場合がある。このとき、根本の原因はエラーＡにあるが、それを検出せずにエラーＢを検出してしまうと、適切な評価とならない。
【０００６】
そこで、前記課題を解決するために、本発明は、移動体通信機器に用いられる通信用デバイスのエラーを適切な手順で検出することを目的とする。
【課題を解決するための手段】
【０００７】
上記目的を達成するために、本願発明に係る移動体通信用デバイス試験システムは、基地局との間でＲＦ（Ｒａｄｉｏ  Ｆｒｅｑｕｅｎｃｙ）信号を送受する移動体通信機器に用いられかつＲＦ信号を復調してベースバンド信号を生成する通信用デバイス（９２）の試験を行う移動体通信用デバイス試験システム（９１）であって、前記通信用デバイスからの前記ベースバンド信号を含むフレームが入力されるデータ入力部（７６−９）と、前記ＲＤＳエラー検出部の前段若しくは後段又は前記ＲＤＳエラー検出部と並列に接続され、前記データ入力部からの前記フレームを構成する符号「０」と符号「１」の個数差が予め定められた値よりも多いか否かを判定するＲＤＳ（Ｒｕｎｎｉｎｇ  Ｄｉｇｉｔａｌ  Ｓｕｍ）エラー検出部（３１）と、前記データ入力部の出力する前記フレームに含まれる１０ｂｉｔコードが予め定められた８Ｂ１０Ｂデコードテーブルに格納されているか否かを判定する１０ｂｉｔエラー検出部（３２）と、前記ＲＤＳエラー検出部及び前記１０ｂｉｔエラー検出部の後段に接続され、前記データ入力部の出力する前記フレームに含まれるヘッダを抽出し、抽出したヘッダに含まれるフレームカウントが予め定められた規則に従った値であるか否かを判定するフレームカウントエラー検出部（３３）と、前記フレームカウントエラー検出部の後段に接続され、前記データ入力部の出力する前記フレームにＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）が含まれるか否か、及び、ＥＯＴ若しくはＥＯＦが予め定められた位置に付加されているか否かを判定するフレーム長エラー検出部（３４）と、前記フレーム長エラー検出部の後段に接続され、前記データ入力部の出力する前記フレームに含まれるヘッダ及びペイロードを用いてＣＲＣ（Ｃｙｃｌｉｃ  Ｒｅｄｕｎｄａｎｃｙ  Ｃｈｅｃｋ）を算出するとともに、前記データ入力部の出力する前記フレームに含まれるＣＲＣを抽出し、算出したＣＲＣと抽出したＣＲＣが一致するか否かを判定するＣＲＣエラー検出部（３５）と、を備えることを特徴とする。
【０００８】
まずＲＤＳエラー及び１０ｂｉｔエラーを検出し、その後段で、フレームカウントエラーと、フレーム長エラーと、ＣＲＣエラーを順に検出する。これにより、ＲＤＳエラー、１０ｂｉｔエラー、フレームカウントエラー、フレーム長エラー及びＣＲＣエラーのすべてのエラーを適切に検出することができる。したがって、本願発明に係る移動体通信用デバイス試験システムは、移動体通信機器に用いられる通信用デバイスのエラーを適切な手順で検出することができる。
【０００９】
上記目的を達成するために、本願発明に係る移動体通信用デバイス試験方法は、基地局との間でＲＦ（Ｒａｄｉｏ  Ｆｒｅｑｕｅｎｃｙ）信号を送受する移動体通信機器に用いられかつＲＦ信号を復調してベースバンド信号を生成する通信用デバイス（９２）の試験を行う移動体通信用デバイス試験方法であって、前記通信用デバイスからの前記ベースバンド信号を含むフレームを構成する符号「０」と符号「１」の個数差が予め定められた値よりも多いか否かを判定するＲＤＳ（Ｒｕｎｎｉｎｇ  Ｄｉｇｉｔａｌ  Ｓｕｍ）エラー検出手順（Ｓ１３１）と、前記ＲＤＳエラー検出手順の前若しくは後又は前記ＲＤＳエラー検出手順と同時に、前記フレームに含まれる１０ｂｉｔコードが予め定められた８Ｂ１０Ｂデコードテーブルに格納されているか否かを判定する１０ｂｉｔエラー検出手順（Ｓ１３２）と、前記ＲＤＳエラー検出手順及び前記１０ｂｉｔエラー検出手順の後に、前記フレームに含まれるヘッダを抽出し、抽出したヘッダに含まれるフレームカウントが予め定められた規則に従った値であるか否かを判定するフレームカウントエラー検出手順（Ｓ１３３）と、前記フレームカウントエラー検出手順の後に、前記フレームにＥＯＴ（Ｅｎｄ  Ｏｆ  Ｔｒａｎｓｍｉｓｓｉｏｎ）若しくはＥＯＦ（Ｅｎｄ  Ｏｆ  Ｆｒａｍｅ）が含まれるか否か、及び、ＥＯＴ若しくはＥＯＦが予め定められた位置に付加されているか否かを判定するフレーム長エラー検出手順（Ｓ１３４）と、前記フレーム長エラー検出手順の後に、前記フレームに含まれるヘッダ及びペイロードを用いてＣＲＣ（Ｃｙｃｌｉｃ  Ｒｅｄｕｎｄａｎｃｙ  Ｃｈｅｃｋ）を算出するとともに、前記フレームに含まれるＣＲＣを抽出し、算出したＣＲＣと抽出したＣＲＣが一致するか否かを判定するＣＲＣエラー検出手順（Ｓ１３５）と、を有する。
【００１０】
まずＲＤＳエラー及び１０ｂｉｔエラーを検出し、その後に、フレームカウントエラーと、フレーム長エラーと、ＣＲＣエラーを順に検出する。これにより、ＲＤＳエラー、１０ｂｉｔエラー、フレームカウントエラー、フレーム長エラー及びＣＲＣエラーのすべてのエラーを適切に検出することができる。したがって、本願発明に係る移動体通信用デバイス試験方法は、移動体通信機器に用いられる通信用デバイスのエラーを適切な手順で検出することができる。
【００１１】
なお、上記各発明は、可能な限り組み合わせることができる。
【発明の効果】
【００１２】
本発明によれば、本願発明に係る移動体通信用デバイス試験システム及び移動体通信用デバイス試験方法は、移動体通信機器に用いられる通信用デバイスのエラーを適切な手順で検出することができる。
【図面の簡単な説明】
【００１３】
【図１】本実施形態に係る移動体通信用デバイス試験システムの概略構成図である。
【図２】試験実行部の概略構成図である。
【図３】フレームの一例であり、（ａ）はフレーム構造を示し、（ｂ）はヘッダ構造の第１例を示し、（ｃ）はヘッダ構造の第２例を示す。
【図４】データ解析部の概略構成図である。
【図５】本実施形態に係る移動体通信用デバイス試験方法の概略を示す流れ図である。
【図６】本実施形態に係る移動体通信用デバイス試験方法の具体例を示す流れ図である。
【発明を実施するための形態】
【００１４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１５】
図１は、本実施形態に係る移動体通信用デバイス試験システムの概略構成図である。本実施形態に係る移動体通信用デバイス試験システム９１は、通信用デバイス９２の試験を行う。通信用デバイス９２は、基地局との間でＲＦ信号を送受する移動体通信機器に用いられる。移動体通信機器は、例えば携帯電話である。移動体通信機器は、基地局との間でＲＦ信号を送受するために、同相成分及び直交成分を有するベースバンド信号を生成するＢＢＩＣと、ＢＢＩＣとの間でベースバンド信号の送受を行い、ベースバンド信号で変調したＲＦ信号を生成するＲＦＩＣを備える。通信用デバイス９２は、ＲＦＩＣに相当し、ベースバンド信号で変調したＲＦ信号を生成するとともにＲＦ信号を復調してベースバンド信号を生成することで、基地局との間でＲＦ信号を送受する。
【００１６】
移動体通信用デバイス試験システム９１は、通信用デバイス９２に対して行う試験シーケンスを作成するシーケンス作成装置８１と、シーケンス作成装置８１の作成した試験シーケンスを実行する試験装置８２を備える。試験装置８２は、エラーが付加された信号を通信用デバイス９２に送信することで、通信用デバイス９２のエラー付加試験を行う。そして、試験装置８２は、通信用デバイス９２から受信した信号を解析してエラーを検出する。これにより、通信用デバイス９２の評価を行うことができる。
【００１７】
シーケンス作成装置８１は、シーケンス作成部７１と、シーケンス作成部７１の作成する試験シーケンスを表示する表示部７２と、シーケンス作成部７１を操作する操作部７３と、を備える。試験装置８２は、シーケンス作成装置８１の作成した試験シーケンスを記憶するシーケンス記憶部７４と、ペイロードデータ記憶部７５と、シーケンス記憶部７４の記憶する試験シーケンスに従って試験を実行する試験実行部７６と、表示部７７と、操作部７８と、を備える。シーケンス作成装置８１と試験装置８２は、ＲＯＭ、ＲＡＭ、ＣＰＵ、ＨＤＤ、インタフェース等を含むコンピュータにより構成され、これらは独立したコンピュータであってもよいし、一体となっていてもよい。
【００１８】
ペイロードデータ記憶部７５は、ベースバンド信号であるＩＱデータを記憶する。シーケンス記憶部７４は、シーケンス作成装置８１から出力された試験シーケンスを記憶する。試験実行部７６は、シーケンス記憶部７４に記憶されている試験シーケンスに従って、ベースバンド信号の含まれている送信フレームを通信用デバイス９２に送信し、通信用デバイス９２の生成するＲＦ信号を受信して、通信用デバイス９２の試験を実行する。
【００１９】
言い換えると、試験装置８２は、ＢＢＩＣの動作を模擬する疑似ＢＢＩＣとして動作し、通信用デバイス９２との間で通信や制御を行う。それと共に、試験装置８２は、基地局の動作を模擬する疑似基地局として動作し、通信用デバイス９２との間でＲＦ信号を送受する。そして、これらの動作の中で、通信用デバイス９２の試験を実施する。
【００２０】
図２は、試験実行部の概略構成図である。試験実行部７６は、データ生成部７６−１と、データ出力部７６−２と、内部管理情報付加部７６−３と、出力データ記憶部７６−４と、試験結果解析部７６−５と、ＲＦ信号処理部７６−６と、カウンタ７６−７と、時刻情報生成部７６−８と、データ入力部７６−９と、データ解析部７６−１０と、内部管理情報付加部７６−１１と、入力データ記憶部７６−１２と、を備える。
【００２１】
データ生成部７６−１は、シーケンス記憶部７４に記憶されている試験シーケンスと、ペイロードデータ記憶部７５に記憶されているペイロードデータが入力され、フレームを生成する。図３は、フレームの一例であり、（ａ）はフレーム構造を示し、（ｂ）はヘッダ構造の第１例を示し、（ｃ）はヘッダ構造の第２例を示す。ここで、ＢＢＩＣとＲＦＩＣとの間のインタフェースでは、単一のフレームでなるシングルフレーム構成と、複数のフレームが連続してバースト状になるマルチフレーム構成との２種類のフレーム構成が採用されている。
【００２２】
図３（ａ）に示すフレームは、シングルフレームであり、ＳＯＦ（Ｓｔａｒｔ  Ｏｆ  Ｆｒａｍｅ）と、ヘッダと、ペイロードと、ＣＲＣ（Ｃｙｃｌｉｃ  Ｒｅｄｕｎｄａｎｃｙ  Ｃｈｅｃｋ）と、ＥＯＴ（Ｅｎｄ  Ｏｆ  Ｔｒａｎｓｍｉｓｓｉｏｎ）と、で構成される。フレームがマルチフレームの場合、末尾のフレームを除き、ＥＯＴに代えてＥＯＦ（Ｅｎｄ  Ｏｆ  Ｆｒａｍｅ）となる。ヘッダには、再送識別子、フレームカウント、ペイロードタイプ、フレームタイプが含まれる。ここで、フレームカウントはフレームの順番号を示し、ペイロードタイプはペイロードの種別を示し、この種別によりペイロード長（ペイロードの有効バイト長）が確定する。フレームタイプはフレームの種別を示す。ヘッダのフォーマットタイプは限定しない。例えば、図３（ｂ）に示すような８ｂｉｔのフォーマット１であってもよいし、図３（ｃ）に示すような１６ｂｉｔのフォーマット２であってもよい。
【００２３】
データ出力部７６−２は、フレームを通信用デバイス９２に出力する。フレームのペイロードは、通信用デバイス９２の制御信号や、通信用デバイス９２がＲＦ信号に変調するベースバンド信号を含む。これにより、試験実行部７６はＢＢＩＣとして擬似する。このため、エラーが生じるような試験シーケンスを作成することで、エラーを付加した信号を通信用デバイス９２に受信させることができる。
【００２４】
内部管理情報付加部７６−３は、時刻情報生成部７６−８を参照して、いつどのようなデータがデータ出力部７６−２から出力されたのかなどのログを生成する。ログには、いつどのようなエラーが付加されたのか、１つのフレームに幾つのエラーが付加されたかも含まれる。出力データ記憶部７６−４は、内部管理情報付加部７６−３からのログを記憶する。
【００２５】
データ入力部７６−９は、通信用デバイス９２からフレームが入力される。フレームのペイロードは、通信用デバイス９２の制御信号や、通信用デバイス９２から送信するベースバンド信号を含む。これにより、試験実行部７６はＢＢＩＣとして擬似する。このため、データ入力部７６−９に入力されたフレームを解析することで、通信用デバイス９２で発生する信号に含まれるエラーを検出することができる。
【００２６】
データ解析部７６−１０は、データ入力部７６−９に入力されたデータを解析し、エラーを検出する。内部管理情報付加部７６−１１は、時刻情報生成部７６−８を参照して、いつどのようなデータがデータ入力部７６−９に入力されたのかなどのログを生成する。ログには、いつどのようなエラーが検出されたのか、１つのフレームに幾つのエラーが検出されたかも含まれる。入力データ記憶部７６−１２は、内部管理情報付加部７６−１１からのログを記憶する。
【００２７】
ＲＦ信号処理部７６−６は、シーケンス記憶部７４の記憶する試験シーケンスに従って、通信用デバイス９２との間でＲＦ信号を送受信する。これにより、試験実行部７６は基地局として擬似する。
【００２８】
試験結果解析部７６−５は、シーケンス記憶部７４の記憶する試験シーケンス、ＲＦ信号処理部７６−６の送受信するデータ、出力データ記憶部７６−４に記憶されているログ及び入力データ記憶部７６−１２に記憶されているログを解析する。これにより、図１に示す通信用デバイス９２の動作を確認し、通信用デバイス９２の評価を行うことができる。
【００２９】
図４は、データ解析部の概略構成図である。データ解析部７６−１０は、ＲＤＳ（Ｒｕｎｎｉｎｇ  Ｄｉｇｉｔａｌ  Ｓｕｍ）エラー検出部３１と、１０ｂｉｔエラー検出部３２と、フレームカウントエラー検出部３３と、フレーム長エラー検出部３４と、ＣＲＣエラー検出部３５と、連続エラー検出部４１と、を備え、本実施形態に係る移動体通信用デバイス試験方法を実行する。
【００３０】
図５は、本実施形態に係る移動体通信用デバイス試験方法の概略を示す流れ図である。移動体通信用デバイス試験方法は、ＲＤＳエラー検出手順Ｓ１３１と、１０ｂｉｔエラー検出手順Ｓ１３２と、フレームカウントエラー検出手順Ｓ１３３と、フレーム長エラー検出手順Ｓ１３４と、ＣＲＣエラー検出手順Ｓ１３５と、を順に有する。
【００３１】
まず、データ入力部７６−９からデータ解析部７６−１０に、通信用デバイス（図１に示す符号９２）からのベースバンド信号を含むフレームが入力される。
【００３２】
そして、ＲＤＳエラー検出手順Ｓ１３１を実行する。例えば、図４に示すＲＤＳエラー検出部３１は、データ入力部７６−９からのフレームを構成する符号「０」と符号「１」の個数差が予め定められた値よりも多いか否かを判定する。前記個数差が予め定められた値以下であればＲＤＳエラーなしと判定する。一方、前記個数差が予め定められた値よりも多い場合はＲＤＳエラーありと判定する。そして、判定結果を１０ｂｉｔエラー検出部３２及び連続エラー検出部４１、カウンタ７６−７、内部管理情報付加部７６−１１に出力する。
【００３３】
次に、１０ｂｉｔエラー検出手順Ｓ１３２を実行する。例えば、図４に示す１０ｂｉｔエラー検出部３２は、ＲＤＳエラー検出部３１の後段に接続され、ＲＤＳエラー検出部３１がＲＤＳエラーなしと判定した場合に、１０ｂｉｔエラー検出手順Ｓ１３２を実行する。
【００３４】
１０ｂｉｔエラー検出手順Ｓ１３２を実行するとき、図４に示す１０ｂｉｔエラー検出部３２は、データ入力部７６−９の出力するフレームに含まれる１０ｂｉｔコードが予め定められた８Ｂ１０Ｂデコードテーブルに格納されているか否かを判定する。１０ｂｉｔコードが予め定められた８Ｂ１０Ｂデコードテーブルに格納されている場合は１０ｂｉｔエラーなしと判定する。一方、１０ｂｉｔコードが予め定められた８Ｂ１０Ｂデコードテーブルに格納されていない場合は１０ｂｉｔエラーありと判定する。そして、判定結果をフレームカウントエラー検出部３３及び連続エラー検出部４１、カウンタ７６−７、内部管理情報付加部７６−１１に出力する。
【００３５】
次に、フレームカウントエラー検出手順Ｓ１３３を実行する。例えば、図４に示すフレームカウントエラー検出部３３は、ＲＤＳエラー検出部３１及び１０ｂｉｔエラー検出部３２の後段に接続され、１０ｂｉｔエラー検出部３２が１０ｂｉｔエラーなしと判定した場合に、フレームカウントエラー検出手順Ｓ１３３を実行する。
【００３６】
フレームカウントエラー検出手順Ｓ１３３を実行するとき、図４に示すフレームカウントエラー検出部３３は、データ入力部７６−９の出力するフレームに含まれるヘッダを抽出し、抽出したヘッダに含まれるフレームカウントが予め定められた規則に従った値であるか否かを判定する。フレームカウントが予め定められた規則に従った値である場合はフレームカウントエラーなしと判定する。一方、フレームカウントが予め定められた規則に従った値でない場合はフレームカウントエラーありと判定する。そして、判定結果をフレーム長エラー検出部３４及び連続エラー検出部４１、カウンタ７６−７、内部管理情報付加部７６−１１に出力する。
【００３７】
次に、フレーム長エラー検出手順Ｓ１３４を実行する。例えば、図４に示すフレーム長エラー検出部３４は、フレームカウントエラー検出部３３の後段に接続され、フレームカウントエラー検出部３３がフレームカウントエラーなしと判定した場合に、フレーム長エラー検出手順Ｓ１３４を実行する。
【００３８】
フレーム長エラー検出手順Ｓ１３４を実行するとき、図４に示すフレーム長エラー検出部３４は、データ入力部７６−９の出力するフレームにＥＯＴ若しくはＥＯＦが含まれるか否か、及び、ＥＯＴ若しくはＥＯＦが予め定められた位置に付加されているか否かを判定する。ＥＯＴ若しくはＥＯＦが予め定められた位置に付加されている場合はフレーム長エラーなしと判定する。一方、ＥＯＴ若しくはＥＯＦが含まれないか、又は、ＥＯＴ若しくはＥＯＦが予め定められた位置に付加されていない場合はフレーム長エラーありと判定する。そして、判定結果をＣＲＣエラー検出部３５及び連続エラー検出部４１、カウンタ７６−７、内部管理情報付加部７６−１１に出力する。
【００３９】
次に、ＣＲＣエラー検出手順Ｓ１３５を実行する。例えば、図４に示すＣＲＣエラー検出部３５は、フレーム長エラー検出部３４の後段に接続され、フレーム長エラー検出部３４がフレーム長エラーなしと判定した場合に、ＣＲＣエラー検出手順Ｓ１３５を実行する。
【００４０】
ＣＲＣエラー検出手順Ｓ１３５を実行するとき、図４に示すＣＲＣエラー検出部３５は、データ入力部７６−９の出力するフレームに含まれるヘッダ及びペイロードを用いてＣＲＣを算出するとともに、データ入力部７６−９の出力するフレームに含まれるＣＲＣを抽出し、算出したＣＲＣと抽出したＣＲＣが一致するか否かを判定する。算出したＣＲＣと抽出したＣＲＣが一致する場合はＣＲＣエラーなしと判定する。一方、算出したＣＲＣと抽出したＣＲＣが一致しない場合はＣＲＣエラーありと判定する。そして、判定結果を、カウンタ７６−７と、内部管理情報付加部７６−１１と、連続エラー検出部４１に出力する。
【００４１】
連続エラー検出部４１は、前のフレームで検出されたエラーを記憶し、２フレーム連続してエラーが検出されたか否かを判定する。例えば、最新のフレームでＲＤＳエラー、１０ｂｉｔエラー、フレームカウントエラー、フレーム長エラー又はＣＲＣエラーのいずれかが検出され、最新のフレームの１つ前に受信したフレームでＲＤＳエラー、１０ｂｉｔエラー、フレームカウントエラー、フレーム長エラー又はＣＲＣエラーのいずれかが検出された場合、２フレーム連続してエラーが検出されたと判定する。
【００４２】
図６に、本実施形態に係る移動体通信用デバイス試験方法の具体例を示す流れ図を示す。
手順Ｓ１３１−１及び手順Ｓ１３１−２は、図５に示すＲＤＳエラー検出手順Ｓ１３１において実行する。手順Ｓ１３１−１では、フレームのＲＤＳを算出して、ＲＤＳの値が２以下であるか否かを判定する。ＲＤＳの値が−２以上、かつ、＋２以下である場合は、ＲＤＳエラーなしとして、手順Ｓ１３２−１に移行する。一方、ＲＤＳの値が−２よりも小さい、又は、＋２よりも大きい場合は、手順Ｓ１３１−２に移行する。手順Ｓ１３１−２では、ＲＤＳエラーを検出した旨を出力する。
【００４３】
手順Ｓ１３２−１及び手順Ｓ１３２−２は、図５に示す１０ｂｉｔエラー検出手順Ｓ１３２において実行する。手順Ｓ１３２−１では、フレームに含まれる１０ｂｉｔコードが予め定められた８Ｂ１０Ｂデコードテーブルに格納されているか否かを判定する。１０ｂｉｔコードが予め定められた８Ｂ１０Ｂデコードテーブルに格納されている場合は手順Ｓ１３６に移行し、１０ｂｉｔコードが予め定められた８Ｂ１０Ｂデコードテーブルに格納された１０ｂｉｔコード外である場合は手順Ｓ１３２−２に移行する。手順Ｓ１３２−２では、１０ｂｉｔエラーを検出した旨を出力する。
【００４４】
手順Ｓ１３６では、フレームに含まれるＳＯＦを検出する。これにより、フレームの先頭を検出することができる。手順Ｓ１３７では、フレームに含まれるヘッダを読み出して解析する。これにより、フレームの内容を解析することができる。このとき、ヘッダに含まれるフレームカウントを抽出する。そして、手順Ｓ１３３−１に移行する。
【００４５】
手順Ｓ１３３−１及び手順Ｓ１３３−２は、図５に示すフレームカウントエラー検出手順Ｓ１３３において実行する。手順Ｓ１３３−１では、手順Ｓ１３７で抽出したフレームカウントが予め定められた規則に従った値であるか否かを判定する。例えば、フレームカウントが、０、１、２、３、・・・６、７、０、１、２、・・・のように規則的に変化する場合、１つ前に受信したフレームのフレームカウント「２」と比較して、上記規則に従ったフレームカウント「３」となっているか否かを判定する。フレームカウントが予め定められた規則に従った値「３」である場合は手順Ｓ１３４−１に移行し、フレームカウントが予め定められた規則に従った値「３」でない例えば「４」である場合は手順Ｓ１３３−２に移行する。手順Ｓ１３３−２では、フレームカウントエラーを検出した旨を出力する。
【００４６】
手順Ｓ１３４−１及び手順Ｓ１３４−２は、図５に示すフレーム長エラー検出手順Ｓ１３４において実行する。手順Ｓ１３４−１では、フレームにＥＯＴ若しくはＥＯＦが含まれるか否か、及び、検出したＥＯＴ若しくはＥＯＦが予め定められた位置に付加されているか否かを判定する。予め定められた位置は、ヘッダのフォーマットタイプ、ヘッダ内のペイロードタイプ又はペイロード長などを基に判断することができる。ＥＯＴ若しくはＥＯＦが予め定められた位置に付加されている場合は手順Ｓ１３５−１に移行する。一方、ＥＯＴ若しくはＥＯＦが検出されないか、又は、ＥＯＴ若しくはＥＯＦが予め定められた位置に付加されていない場合は、手順Ｓ１３４−２に移行する。手順Ｓ１３４−２では、フレーム長エラーを検出した旨を出力する。
【００４７】
手順Ｓ１３５−１及び手順Ｓ１３５−２は、図５に示すＣＲＣエラー検出手順Ｓ１３５において実行する。手順Ｓ１３５−１では、フレームに含まれるヘッダ及びペイロードを用いてＣＲＣを算出するとともに、データ入力部７６−９の出力するフレームに含まれるＣＲＣを抽出し、この２つのＣＲＣが一致するか否かを判定する。ＣＲＣの算出は、例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）  ＣＲＣ−１６規格に従って算出する。２つのＣＲＣが一致する場合はエラー検出を終了し、２つのＣＲＣが一致しない場合は手順Ｓ１３５−２に移行する。手順Ｓ１３５−２では、ＣＲＣエラーを検出した旨を出力する。
【００４８】
手順Ｓ１３１−２、手順Ｓ１３２−２、手順Ｓ１３３−２、手順Ｓ１３４−２及び手順Ｓ１３５−２の後、連続エラー検出手順Ｓ１４１を実行する。手順Ｓ１３１−２、手順Ｓ１３２−２、手順Ｓ１３３−２、手順Ｓ１３４−２及び手順Ｓ１３５−２で出力された信号は、図４に示す連続エラー検出部４１に入力される。そして、連続エラー検出部４１は、エラーを検出した旨の信号が入力されると、連続エラー検出手順Ｓ１４１を実行する。連続エラー検出手順Ｓ１４１では、図４に示す連続エラー検出部４１が、前のフレームで検出されたエラーを記憶し、２フレーム連続してエラーが検出されたか否かを判定する。
【００４９】
なお、図６には図示していないが、手順Ｓ１３１−２、手順Ｓ１３２−２、手順Ｓ１３３−２、手順Ｓ１３４−２、手順Ｓ１３５−２の各エラー検出手順では、各エラー検出結果を、図２に示すカウンタ７６−７及び内部管理情報付加部７６−１１にも出力している。
【００５０】
本実施形態に係る移動体通信用デバイス試験システムが本実施形態に係る移動体通信用デバイス試験方法を実行することで、移動体通信機器に用いられる通信用デバイスのエラーを適切な手順で検出することができる。
【００５１】
なお、本実施形態では、ＲＤＳエラー検出部３１と、１０ｂｉｔエラー検出部３２と、フレームカウントエラー検出部３３と、フレーム長エラー検出部３４と、ＣＲＣエラー検出部３５と、のそれぞれにフレームが入力される例を示したが、これに限定されない。例えば、ＲＤＳエラー検出部３１が１０ｂｉｔエラー検出部３２にフレームを出力するなどしてもよい。
【００５２】
本実施形態では、ＲＤＳエラー検出手順Ｓ１３１の後に１０ｂｉｔエラー検出手順Ｓ１３２を実行する例を示したが、これに限定されない。例えば、１０ｂｉｔエラー検出手順Ｓ１３２の後にＲＤＳエラー検出手順Ｓ１３１を実行してもよいし、ＲＤＳエラー検出手順Ｓ１３１と同時に１０ｂｉｔエラー検出手順Ｓ１３２を実行してもよい。
【産業上の利用可能性】
【００５３】
本発明は、ＲＦＩＣの試験を行うことができるので、情報通信産業に適用することができる。
【符号の説明】
【００５４】
３１：ＲＤＳエラー検出部
３２：１０ｂｉｔエラー検出部
３３：フレームカウントエラー検出部
３４：フレーム長エラー検出部
３５：ＣＲＣエラー検出部
４１：連続エラー検出部
７１：シーケンス作成部
７２：表示部
７３：操作部
７４：シーケンス記憶部
７５：ペイロードデータ記憶部
７６：試験実行部
７６−１：データ生成部
７６−２：データ出力部
７６−３：内部管理情報付加部
７６−４：出力データ記憶部
７６−５：試験結果解析部
７６−６：ＲＦ信号処理部
７６−７：カウンタ
７６−８：時刻情報生成部
７６−９：データ入力部
７６−１０：データ解析部
７６−１１：内部管理情報付加部
７６−１２：入力データ記憶部
７７：表示部
７８：操作部
８１：シーケンス作成装置
８２：試験装置
９１：移動体通信用デバイス試験システム
９２：通信用デバイス
【図１】
2011041107.tif 000003
【図２】
2011041107.tif 000004
【図３】
2011041107.tif 000005
【図４】
2011041107.tif 000006
【図５】
2011041107.tif 000007
【図６】
2011041107.tif 000008